(57)【要約】【課題】市場での、鍵情報のトレーサビリティ、機器制御手段の確保により、鍵情報をハッキングされた無実のお客様及び著作権の保護【解決手段】販売後のコンテンツ保護に使用されている鍵情報のトレーサビリティの確保及び不正使用時の機器制御、警告表示を実施する手段を確保し、無実のユーザ及び、著作権保護を行う為に、図１に示される様に、サービスの対象となる電子機器製品６１に設けられた、当該電子機器製品及びその接続機器に関する７１鍵認証装置、制御、命令処理を行う手段，及び有線又は無線通信により情報のやり取りを行うための通信インターフェイス手段と、電子機器製品の提供者側に設けられ上記電子機器製品側情報送受信装置との間で鍵情報の確認、機器制御を行なう提供者側情報送受信装置、鍵情報管理サーバとからシステムを構成した。【選択図】図１
2005218007.tif 000002
【特許請求の範囲】
【請求項１】
ＨＤＭＩの鍵情報を格納する鍵情報管理サーバと、配信情報の受信並びに鍵情報の配信を行う端末機器と、前記配信情報を端末機器に送信する情報配信手段と、前記鍵情報管理サーバ及び前記端末機器及び前記情報配信手段との間で鍵情報を送受信するサーバをとを少なくとも有する鍵情報管理システムであって、ネットワークを介して前記端末機器が、コンテンツ情報のデコード及び動作に必要なＨＤＭＩの前記鍵情報を、前記鍵情報管理サーバと送受信する事を特徴とする鍵情報管理システム。
【請求項２】
鍵情報が格納されている部品の交換補修時に、サーバ、鍵情報管理サーバと接続する事により、鍵情報を再設定する事を特徴とする請求項１記載の鍵情報管理システム。
【請求項３】
鍵情報の認証を行い不正使用時には、端末機器を使用禁止とし、ＯＳＤ等により警告を発する端末機器。
【請求項４】
端末機器にＨＤＭＩを介して情報を送信する第２の端末機器であって、前記端末機器と鍵情報の認証を行い不正使用時には、前記第２の端末機器を使用禁止とし、映像出力もしくは、表示管もしくは、ＬＥＤで警告を発する端末機器。
【発明の詳細な説明】
【技術分野】
【０００１】
本発明は、市場での、鍵使用状態の管理が可能なシステム、機器に関するものである。
【背景技術】
【０００２】
提供者側のサービスセンタとユーザ側の電子機器製品とが直接情報をやりとりでき、販売後でもユーザへの的確なサービスを可能とできるシステムを提供する為に、図２に示される様に、サービスの対象となる電子機器製品８０に設けられた、当該電子機器製品に関する情報の処理を行なう手段，及び有線又は無線通信により情報のやり取りを行なうための通信インターフェイス手段を有する電子機器製品側情報送受信装置２０と、電子機器製品の提供者側に設けられ、上記電子機器製品側情報送受信装置との間で有線又は無線通信により情報のやり取りを行なう提供者側情報送受信装置１０とからシステムは、構成されていた。
【特許文献１】特開平１０−２６０８６６号公報
【発明の開示】
【発明が解決しようとする課題】
【０００３】
近年、ＨＤ放送、ＤＶＤ等のデジタルコンテンツの増加により、コンテンツの品質が、飛躍的に向上している。それらの著作権保護の観点から、テレビ等のＡＶ機器製品には、製品各々にユニークに設定している放送等のコンテンツ情報のデコード及び動作に必要な鍵情報が格納されてきている。しかしながら、市場への出荷後の、鍵情報の管理は、確立されておらず、お客様が、どの鍵情報を用いているか不明であり、鍵情報のトレーサビリティの確保が困難であった。その為、ハッキングによる不正使用等を、発見し、鍵を使用禁止にすることは、事実上困難であった。鍵情報を用いて、高品位なデジタルコンテンツを、視聴する用途において、この欠点は、ハッキングされたお客様の保護、著作権保護の観点から、大きな障害である。
【課題を解決するための手段】
【０００４】
この改善策として、ネットワークを介して、テレビ等のＡＶ機器製品が、新たに鍵情報管理データサーバと接続し、データを送受信することにより、お客様が使用している製品各々にユニークに設定している放送等のコンテンツ情報のデコード及び動作に必要な、ＨＤＭＩのＡＫＳＶ、ＢＫＳＶ等の鍵情報等を管理しネットワークを介して機器制御を行う。
【発明の効果】
【０００５】
解決しようとする問題点は、市場での、鍵情報のトレーサビリティと、機器の制御手段の確保である。
【発明を実施するための最良の形態】
【０００６】
本発明は、市場での個々の製品のコンテンツをデコードする際の、鍵情報を、ネットワークを介して、ＣＥデータベース、鍵情報データベースとリンクし、常に把握、制御可能とすることを最も主要な特徴とする。
【実施例１】
【０００７】
図１は、実施の形態１にかかる鍵情報管理システムの全体構成を示す図である。図１において、１は電子制御される機器製品（以下電子機器製品とも記す）の提供者側による消費者サービスセンタに設けられた提供者側情報送受信装置であるカスタマーエンジニア（ＣＥ）サーバ、９は、使用鍵情報の管理及び、不正利用により使用が禁止されている鍵情報を有している鍵情報管理サーバである。（鍵情報管理サーバは、ネットワークを介して接続されているため、ＣＥサーバと同一敷地内にある必要は無い。６１はユーザ側の家庭に設置された電子機器製品受信機側、６２はユーザ側の家庭に設置された電子機器製品送信機側である。
【０００８】
この例では、例えば電子機器製品群がＨＤＭＩ機器の場合、接続ケーブル（ＨＤＭＩ）５によりＴＶ等６１の受信機側が、ユニークに有するＢＫＳＶ鍵、ＤＶＤ等６２の送信機側がユニークに有するＡＫＳＶ鍵の認証が行われ、認証が成功しかつ、７のネットワークを介し、鍵情報管理サーバ９と接続し、鍵情報が、正規のものである事の確認が出来ないと著作権保護対象のコンテンツをデコードする事は出来ない。
【０００９】
図３は、受信機側の詳細な、構成である。接続ケーブル（ＨＤＭＩ）５により、送信機と接続された、ＴＶ等６１の受信機は、送信機からの情報を受け取るレシーバー部３６、送信されてきた、送信機との鍵の認証を行う鍵認証装置７１、鍵情報が格納されている鍵情報部３６ａ、鍵認証手段部３３ａ、認証状況の履歴を格納しているメモリー３７ａ、外部からの命令処理、各種制御、ＯＳＤ出力を行うＣＰＵ３０ａ、鍵認証が成功した際にコンテンツ情報をデコードするデコーダ３４、外部と情報の送受信を行う情報送受信装置５１、ＯＳＤと映像情報を合成する合成装置３８、鍵の使用が禁止された際の警告、映像を表示する表示デバイス３９から構成されている。送信機側の構成は省略しているが、鍵の使用が禁止された際の警告は、表示デバイスが、搭載されていない場合もあるので、表示管、ＬＥＤ、もしくは、音声を用いたスピーカ等を、使用するものとする。
【００１０】
図４は、鍵情報管理システムの制御フローチャートの一例を示している。
【００１１】
図５は、図４のフローチャートの、使用禁止鍵情報と、お客様が使用している鍵情報とが、一致した際に、電子機器製品に設けられた表示装置に表示される警告画面の例を示す図である。これにより、鍵のハッキングによる２重使用等の不正使用を防止、禁止する事が出来る。また、これらのシステムは、請求項２に示す製品補修時の鍵情報の再把握、再設定に応用する事ができる。
【産業上の利用可能性】
【００１２】
このような鍵情報管理システムにより、鍵情報管理、トレーサビリティ確保、不正使用時の機器使用禁止による、ハッキングされた、無実のお客様の保護、著作権保護におおいに役立つ。
【図面の簡単な説明】
【００１３】
【図１】本発明の実施例１にかかる鍵情報管理システムの全体構成を示す図
【図２】本発明の背景技術にかかる説明図
【図３】本発明の請求項３にかかる受信機の説明図
【図４】本発明の実施例１にかかる鍵情報管理システムの制御フローチャート
【図５】本発明の実施例１にかかる鍵情報管理システムにおいて、電子機器製品に設けられた表示装置に表示される画面の例を示す図
【符号の説明】
【００１４】
１    ＣＥサーバー
２    高速電話線
３    衛星
４    放送設備
５    接続ケーブル
６    モデム    ＴＡ
７    ネットワーク
８    家庭内ネットワーク
９    鍵情報管理サーバ
１０    電子機器製品本体
２０    情報送受信装置（モデム付）
３０ａ    ＣＰＵ
３３ａ    鍵認証手段
３４    ＡＶデコーダ
３５ａ    鍵情報
３６    レシーバー
３７ａ    メモリー
３８    合成装置
３９    表示デバイス
４１、４２    電子機器製品本体
５１、５２    情報送受信装置
６１、６２    電子機器製品
７１、７２    鍵認証装置
【図１】
2005218007.tif 000003
【図２】
2005218007.tif 000004
【図３】
2005218007.tif 000005
【図４】
2005218007.tif 000006
【図５】
2005218007.tif 000007